(57)【要約】【課題】  本発明は、メインの燃料噴射の前後にサブ燃料噴射を行う燃料噴射装置において、燃料噴射弁に印加される燃料圧力を変更することなくメイン燃料噴射とサブ燃料噴射の噴射圧を相対的に異ならせることを課題とする。【解決手段】  本発明は、ニードル弁４２を進退駆動することにより燃料噴射孔４３を開閉する燃料噴射弁４と、燃料噴射弁４からメインの燃料噴射とは異なる時期にサブの燃料噴射を行わせる制御装置１０とを備える燃料噴射装置であって、燃料噴射孔４３の近傍に位置する燃料溜まり部４４と、前記サブ燃料噴射開始時期の直後から前記メイン燃料噴射期間の途中までの期間において燃料溜まり部４４への燃料供給路４８を遮断する流量調整弁４９とを燃料噴射弁に設けるようにした。【選択図】  図２
2006348771.tif 000002
【特許請求の範囲】
【請求項１】
ニードル弁を進退駆動することにより燃料噴射孔を開閉する燃料噴射弁と、
前記燃料噴射弁からメインの燃料噴射とは異なる時期にサブの燃料噴射を行わせる制御装置と、を備える燃料噴射装置であって、
前記燃料噴射弁は、前記燃料噴射孔の近傍に位置する燃料溜まり部と、前記サブ燃料噴射開始時期の前後から前記メイン燃料噴射開始時期の前後までの所定期間において前記燃料溜まり部へ供給される燃料量を規制する規制部を備えることを特徴とする燃料噴射装置。
【請求項２】
請求項１において、前記規制部は、前記燃料溜まり部へ燃料を供給するための燃料供給路の流量を調整する流量調整弁を具備し、前記所定期間に前記流量調整弁の開度を減少させることを特徴とする燃料噴射装置。
【請求項３】
請求項２において、前記規制部は、内燃機関の運転状態に応じて前記所定期間の長さおよび／または前記流量調整弁の開度を変更することを特徴とする燃料噴射装置。
【請求項４】
請求項２又は３において、前記規制部は、前記所定期間のうち少なくとも前記サブ燃料噴射の実行期間中は前記流量調整弁を閉弁させることを特徴とする燃料噴射装置。
【発明の詳細な説明】
【技術分野】
【０００１】
本発明は、内燃機関の燃料噴射装置に関する。
【背景技術】
【０００２】
圧縮着火式内燃機関（ディーゼルエンジン）等では、メインの燃料噴射の前後にパイロット噴射やアフター噴射等のサブ燃料噴射を行う燃料噴射方法が周知である。このような燃料噴射方法を実行する装置としては、燃料圧力と圧電素子の何れか一方を利用して開弁する燃料噴射弁を備え、メイン燃料噴射時は燃料圧力を利用して燃料噴射弁を開弁させ、パイロット噴射時は圧電素子を利用して燃料噴射弁を開弁させるものが提案されている（たとえば、特許文献１を参照）。
【特許文献１】特許第２６００３４０号公報
【特許文献２】特開平８−２９６５３０号公報
【発明の開示】
【発明が解決しようとする課題】
【０００３】
ところで、サブ燃料噴射はメイン燃料噴射に比べて極少量の燃料を噴射するため、サブ燃料噴射時における燃料噴射弁の開弁時間が短くなる。短時間の開弁時間で噴射された燃料を好適に微粒化させ且つ燃焼室内の所望の位置に分布させるためには、サブ燃料噴射時における噴射圧を高める必要がある。
【０００４】
サブ燃料噴射時における噴射圧を高めるためには、サブ燃料噴射時に燃料噴射弁へ印加される燃料圧力（燃料印加圧と記す）を高くする必要があるが、サブ燃料噴射タイミングとメイン燃料噴射タイミングの間隔が短くなるため（特に、多気筒の内燃機関では一の気筒のサブ燃料噴射タイミングと他の気筒のメイン燃料噴射タイミングが重なる可能性もあるため）、サブ燃料噴射時の燃料印加圧とメイン燃料噴射時の燃料印加圧を異ならせることは困難である。
【０００５】
これに対し、サブ燃料噴射時の燃料印加圧とともにメイン燃料噴射時の燃料印加圧も高める方法が考えられるが、メイン燃料噴射時の燃料印加圧は内燃機関の運転状態（機関回転数、機関負荷、冷却水温度等）に応じた適当な噴射圧となるように定められているため、メイン燃料噴射時の燃料印加圧が不要に高められると却って燃焼状態の悪化を招く可能性もある。
【０００６】
本発明は、上記した実情に鑑みてなされたものであり、メインの燃料噴射の前後にサブ燃料噴射を行う燃料噴射装置において、燃料噴射弁に印加される燃料圧力を変更することなくメイン燃料噴射とサブ燃料噴射の噴射圧を相対的に異ならせることができる技術の提供を目的とする。
【課題を解決するための手段】
【０００７】
本発明は、上記した課題を解決するためになされたものであり、その最大の特徴は、燃料噴射弁に噴射圧を変更可能な機構を持たせることより、燃料噴射弁に印加される燃料圧力を変更することなくメイン燃料噴射とサブ燃料噴射の噴射圧を変更可能とした点にある。
【０００８】
詳細には、本発明は、ニードル弁を進退駆動することにより燃料噴射孔を開閉する燃料噴射弁と、燃料噴射弁からメインの燃料噴射とは異なる時期にサブの燃料噴射を行わせる制御装置とを備える燃料噴射装置であって、前記燃料噴射孔の近傍に位置する燃料溜まり
部と、前記サブ燃料噴射開始時期の前後から前記メイン燃料噴射開始時期の前後までの所定期間において前記燃料溜まり部へ供給される燃料量を規制する規制部とを燃料噴射弁に設けるようにした。
【０００９】
このように構成された燃料噴射装置では、燃料溜まり部へ供給される燃料量は、サブ燃料噴射開始時期の前後からメイン燃料噴射開始時期の前後までの所定期間において規制されることになる。逆に、メイン燃料噴射開始時期の前後からサブ燃料噴射開始時期の前後までの期間では前記燃料溜まり部へ十分な量の燃料が供給されるようになる。
【００１０】
依って、サブ燃料噴射開始時には前記燃料溜まり部に十分な量の燃料が蓄えられるようになるため、サブ燃料噴射開始時における前記燃料溜まり部内の燃料圧力は十分に高くなる。
【００１１】
ところで、サブ燃料噴射開始時に燃料溜まり部内の燃料圧力が十分に高くなっていても、燃料溜まり部から燃料噴射孔までの距離が長くなると燃料溜まり部の燃料が燃料噴射孔に到達するまでの圧力損失が大きくなるため、サブ燃料噴射の噴射圧を高めることが困難となる。
【００１２】
これに対し、本発明における燃料溜まり部は燃料噴射孔の近傍に配置されるため、燃料溜まり部内に蓄えられた燃料が高圧を保ちつつ燃料噴射孔へ到達可能になる。その結果、サブ燃料噴射の噴射圧を好適に高めることが可能となる。
【００１３】
一方、サブ燃料噴射開始時期の前後からメイン燃料噴射開始時期の前後までの所定期間においては燃料溜まり部へ供給される燃料量が規制されるため、メイン燃料噴射開始時までに前記燃料溜まり部に蓄えられている燃料量はサブ燃料噴射開始時までに前記燃料溜まり部に蓄えられる燃料量よりも少なくなる。これにより、メイン燃料噴射開始時における噴射圧がサブ燃料噴射時の噴射圧よりも低くなる。
【００１４】
従って、本発明の燃料噴射装置によれば、燃料噴射弁に印加される燃料圧力を変更しなくてもメイン燃料噴射の噴射圧とサブ燃料噴射の噴射圧と相違させることが可能になる。その結果、メイン燃料噴射の噴射圧を不要に高めることなくサブ燃料噴射の噴射圧を高めることが可能となる。
【００１５】
本発明において、規制部は、燃料溜まり部へ燃料を供給するための燃料供給路の流量を調整する流量調整弁を具備するようにしてもよい。この場合、上記した所定期間において流量調整弁の開度を減少させることにより、サブ燃料噴射の噴射圧をメイン燃料噴射の噴射圧より高くすることができる。
【００１６】
尚、所定期間の長さおよび／または流量調整弁の開度は、内燃機関の運転状態に応じて変更されるようにしてもよい。この場合、サブ燃料噴射の噴射圧を高く保ちつつメイン燃料噴射の噴射圧を内燃機関の運転状態に応じた噴射圧に制御することが可能となる。
【００１７】
例えば、所定期間のうち少なくともサブ燃料噴射期間とオーバーラップする期間では、流量調整弁の開度が全閉とされるようにしてもよい。
【００１８】
サブ燃料噴射期間中に流量調整弁が開弁していると、燃料溜まり部へ供給される燃料の圧力脈動等によって燃料溜まり部の燃料圧力が変動する可能性がある。サブ燃料噴射期間中に燃料溜まり部の燃料圧力が変動すると、サブ燃料噴射の噴射圧も変動してしまう可能性がある。
【００１９】
これに対し、所定期間のうちの少なくともサブ燃料噴射期間とオーバーラップする期間において流量調整弁が閉弁されると、燃料溜まり部に蓄えられた燃料が圧力脈動等の影響を受け難くなる。その結果、サブ燃料噴射期間中の噴射圧を略均一にすることが可能になる。
【発明の効果】
【００２０】
本発明によれば、燃料噴射弁からメインの燃料噴射の前後にサブ燃料噴射を行う燃料噴射装置において、燃料噴射弁に印加される燃料圧力を変更することなくメイン燃料噴射とサブ燃料噴射の噴射圧を相対的に異ならせることが可能になる。
【発明を実施するための最良の形態】
【００２１】
以下、本発明の具体的な実施形態について図面に基づいて説明する。図１は、本発明を適用する内燃機関の概略構成を示す図である。
【００２２】
図１に示す内燃機関１は、圧縮着火式の内燃機関（ディーゼルエンジン）である。内燃機関１は複数の気筒２を具備している。内燃機関１は、各気筒２の燃焼室３へ直接燃料を噴射する燃料噴射弁４を備えている。
【００２３】
各燃料噴射弁４には燃料供給管５が接続され、燃料供給管５はコモンレール６に接続されている。コモンレール６には、燃料ポンプ８から燃料パイプ７を介して燃料が供給されるようになっている。また、コモンレール６には該コモンレール６内の燃料圧力（以下、レール圧と記す）を検出する燃圧センサ９が取り付けられ、ＥＣＵ１０は燃圧センサ９の出力信号（レール圧）が所望の目標圧力に一致するように燃料ポンプ８を制御するようになっている。
【００２４】
ＥＣＵ１０は、クランクポジションセンサ１１、アクセルポジションセンサ１２、或いは気筒判別センサ１３の出力信号に基づいて、コモンレール６の目標レール圧、燃料噴射弁４の目標開閉タイミング、燃料ポンプ８の目標吐出圧力などを決定するとともに、決定された各種目標値に従って燃料噴射弁４や燃料ポンプ８を制御する。
【００２５】
ところで、内燃機関１のような圧縮着火式内燃機関では、圧縮行程上死点近傍におけるメイン燃料噴射に加え、メイン燃料噴射の前後にパイロット噴射やアフター噴射等のサブ燃料噴射を行う場合がある。
【００２６】
パイロット噴射やアフター噴射等のサブ燃料噴射では少量の燃料を短時間に噴射するため、噴射圧が十分に高まる前にサブ燃料噴射が終了する可能性がある。サブ燃料噴射の噴射圧が低くなると、噴射燃料の微粒化や到達距離が不十分となる可能性がある。噴射燃料の微粒化や到達距離が不十分になると、噴射燃料が燃焼室３における燃料噴射弁４の近傍に停滞し易くなる。
【００２７】
噴射燃料が燃料噴射弁４の近傍に停滞すると、噴射燃料と空気の混合が促進されないため、空気（酸素）が不足した状態で噴射燃料が燃焼する可能性がある。
【００２８】
例えば、パイロット噴射された燃料が燃料噴射弁４の近傍に停滞すると、メイン燃料噴射が行われた時に燃料噴射弁４近傍で燃焼が生起され易い。燃料噴射弁４近傍で燃焼が生起されると、パイロット噴射の噴射燃料に加えてメイン燃料噴射の噴射燃料も空気と混合する前に燃焼してしまう可能性がある。
【００２９】
このようにパイロット噴射及びメイン燃料噴射の噴射燃料が空気不足の状態で燃焼されると、機関出力の低下や排気エミッションの悪化（例えば、スモークの排出量が増加）を
招く虞がある。
【００３０】
また、メイン燃料噴射後の燃焼期間中にアフター噴射が行われる場合においてアフター噴射された燃料が燃料噴射弁４の近傍に停滞すると、アフター噴射の噴射燃料が空気と十分に混合する前に燃焼するため、アフター噴射による効果（例えば、ＰＭの再燃焼など）が得られない上、スモークの排出量が増加する虞がある。
【００３１】
従って、メイン燃料噴射の前後にパイロット噴射やアフター噴射等のサブ燃料噴射を行う場合には、サブ燃料噴射の噴射圧力を高めることが要求される。このような要求に対して、サブ燃料噴射が実行される時に、燃料噴射弁４に印加される燃料の圧力（燃料印加圧）、すなわちコモンレール６内の燃料圧力を高める方法が考えられる。
【００３２】
しかしながら、メイン燃料噴射時期とサブ燃料噴射時期の間隔が短いため、サブ燃料噴射時のレール圧とメイン燃料噴射時のレール圧を独立して制御することは困難である。更に、内燃機関１のような多気筒の内燃機関では、一の気筒のサブ燃料噴射時期と他の気筒のメイン燃料噴射時期がオーバーラップし或いは極めて近似した時期となる可能性があるため、サブ燃料噴射時のレール圧とメイン燃料噴射時のレール圧を独立して制御することは困難となる。
【００３３】
また、サブ燃料噴射時の燃料印加圧とともにメイン燃料噴射時の燃料印加圧も高める方法が考えられるが、メイン燃料噴射時の燃料印加圧は内燃機関１の運転状態（機関回転数、機関負荷、冷却水温度等）に適した噴射圧が得られるように定められるため、メイン燃料噴射時の燃料印加圧が不要に高められると却って燃焼状態の悪化を招く可能性もある。
【００３４】
そこで、本実施例に係る燃料噴射装置では、燃料噴射弁４に噴射圧を変更可能な機構を持たせることより、燃料噴射弁４に印加される燃料圧力（レール圧）を変更することなくメイン燃料噴射とサブ燃料噴射の噴射圧を変更可能にした。
【００３５】
図２は、本実施例における燃料噴射弁４の構成を示す図である。燃料噴射弁４は、円柱状の収容孔４１を有するノズルボディ４０と、前記収容孔４１に軸方向へ摺動自在に収容されるニードル弁４２とを備えている。
【００３６】
前記ノズルボディ４０の先端部には複数の燃料噴射孔４３が形成され、それら燃料噴射孔４３は該ノズルボディ４０の先端部近傍に形成された燃料溜まり部４４と連通している。
【００３７】
前記燃料溜まり部４４の内壁面において前記燃料噴射孔４３の近傍には、弁座４５が設けられ、該弁座４５に前記ニードル弁４２が着座／離座することにより前記燃料噴射孔４３と前記燃料溜まり部４４の遮断／連通、言い換えれば前記燃料噴射孔４３の閉弁／開弁が切り換えられるようになっている。
【００３８】
前記ノズルボディ４０において前記収容孔４１と前記燃料溜まり部４４との間には、前記ニードル弁４２の外径より径大な内径を有する孔４６が形成され、この孔４６の内壁とニードル弁４２の外壁との間の隙間４７が燃料通路として機能するようになっている（以下、隙間４７を燃料通路４７と記す）。
【００３９】
前記燃料通路４７には燃料供給路４８が連通しており、該燃料供給路４８は前記した燃料供給管５と連通している。前記燃料供給路４８の途中には流量調整弁４９が設けられている。流量調整弁４９としては、駆動電流が通電された時に閉弁し、駆動電流が通電されていない時は開弁する機構を例示することができる。
【００４０】
また、前記ノズルボディ４０の基端には、前記ニードル弁４２を進退駆動させる駆動機構５０が取り付けられている。駆動機構５０としては、例えば、前記ニードル弁４２を先端方向（図２中の下方向）へ付勢するスプリングと、前記ニードル弁４２を基端方向（図２中の上方向）へ吸引する電磁力を発生するソレノイドとを備えた機構を例示することができる。
【００４１】
尚、上記した流量調整弁４９と駆動機構５０は、ＥＣＵ１０によって制御されるようになっている。
【００４２】
このように構成された燃料噴射弁４がメイン燃料噴射のみを行う場合には、ＥＣＵ１０は、流量調整弁４９に対する駆動電流の通電を停止して該流量調整弁４９を開弁させる。
【００４３】
流量調整弁４９が開弁されると、前記コモンレール６に蓄えられた燃料が燃料供給管５を介して燃料供給路４８へ流入する。燃料供給路４８に流入した燃料は、該燃料供給路４８から燃料通路４７を経て燃料溜まり部４４へ導かれる。
【００４４】
その際、駆動機構５０に励磁電流が印加されていなければ、該駆動機構５０の付勢力によってニードル弁４２が弁座４５に着座した状態（閉弁状態）となるため、燃料溜まり部４４に蓄えられた燃料が燃料噴射孔４３から噴射されることはない。その結果、燃料溜まり部４４に燃料が充満して該燃料溜まり部４４内の燃料圧力がレール圧と略同等まで高められるようになる。
【００４５】
ＥＣＵ１０が駆動機構５０へ励磁電流を印加すると、該駆動機構５０の電磁力によってニードル弁４２が基端方向へ吸引されるため、ニードル弁４２の先端が弁座４５から離座した状態（開弁状態）となる。その結果、燃料溜まり部４４に蓄えられた高圧の燃料が燃料噴射孔４３から噴射されるようになる。
【００４６】
次に、前記した燃料噴射弁４がメイン燃料噴射に加えてサブ燃料噴射を行う場合には、ＥＣＵ１０は、サブ燃料噴射開始直後からメイン燃料噴射期間の途中までの所定期間において流量調整弁４９を閉弁させる。
【００４７】
この場合、サブ燃料噴射開始直後からメイン燃料噴射期間の途中まではコモンレール６から燃料溜まり部４４へ燃料が供給されないことになる。逆に、メイン燃料噴射期間の途中からサブ燃料噴射開始直後まではコモンレール６から燃料溜まり部４４へ燃料が供給されることになる。
【００４８】
この結果、サブ燃料噴射開始時には燃料溜まり部４４に十分な量の燃料が蓄えられるとともに該燃料溜まり部４４内の燃料圧力が十分に高められるようになる。
【００４９】
ところで、サブ燃料噴射開始時に燃料溜まり部４４内の燃料圧力が十分に高くなっていても、燃料溜まり部４４から燃料噴射孔４３までの距離が長くなると燃料溜まり部４４の燃料が燃料噴射孔４３に到達するまでの圧力損失が大きくなるため、サブ燃料噴射の噴射圧を高めることが困難となる。
【００５０】
これに対し、本実施例の燃料噴射弁４では、燃料溜まり部４４が燃料噴射孔４３の極めて近くに配置されるため、燃料溜まり部４４に蓄えられた燃料が高圧を保ちつつ燃料噴射孔４３へ到達することができる。
【００５１】
また、サブ燃料噴射期間中に流量調整弁４９が終始開弁していると、コモンレール６内
の圧力脈動等によって燃料溜まり部４４内の燃料圧力が不用意に低下する場合がある。サブ燃料噴射期間中に燃料溜まり部４４内の圧力が低下すると、サブ燃料噴射の噴射圧も低下することになる。
【００５２】
これに対し、本実施例では、サブ燃料噴射開始直後に流量調整弁４９が閉弁されるため、サブ燃料噴射期間の略全期間において流量調整弁４９が閉弁していることになる。これにより、サブ燃料噴射期間中は燃料溜まり部４４に蓄えられた燃料がコモンレール６内の圧力脈動等の影響をほとんど受けることがなくなる。
【００５３】
従って、サブ燃料噴射開始時における燃料溜まり部４４の燃料圧力が十分に高くなる効果、燃料溜まり部４４の燃料が高圧を保ちつつ燃料噴射孔４３へ到達可能になる効果、及び、サブ燃料噴射期間中に燃料溜まり部４４の燃料がコモンレール６内の圧力脈動等の影響を受け難くなる効果の相乗効果により、パイロット噴射期間中の噴射圧が安定して高くなる。
【００５４】
一方、流量調整弁４９はサブ燃料噴射開始直後からメイン燃料噴射期間の途中まで閉弁し続けるため、サブ燃料噴射後の燃料溜まり部４４には燃料が補給されないこととなる。その結果、メイン燃料噴射期間の初期（メイン燃料噴射開始から流量調整弁４９が開弁されるまで）の噴射圧力は、サブ燃料噴射時の噴射圧より低くなる。
【００５５】
以上述べたような燃料噴射弁４の構成及び流量調整弁４９の制御により、燃料噴射弁４に印加される燃料圧力（レール圧）を変更しなくてもサブ燃料噴射の噴射圧をメイン燃料噴射期間の初期における噴射圧より高くすることができる。依って、メイン燃料噴射の噴射圧を不要に高めることなくサブ燃料噴射の噴射圧を高めることが可能となる。
【００５６】
以下、本実施例の燃料噴射制御について図３に沿って説明する。図３は、燃料噴射制御ルーチンを示すフローチャートである。この燃料噴射制御ルーチンは、サブ燃料噴射としてパイロット噴射を行う場合のルーチンを示している。
【００５７】
燃料噴射制御ルーチンでは、ＥＣＵ１０は、先ずＳ１０１において内燃機関１の負荷（アクセルポジションセンサ１２の出力信号ＡＣＣＰ）と機関回転数Ｎｅを読み込む。
【００５８】
Ｓ１０２では、ＥＣＵ１０は、機関負荷ＡＣＣＰ及び機関回転数Ｎｅから定まる機関運転状態がパイロット噴射領域に入っているか否かを判別する。例えば、ＥＣＵ１０は、機関負荷ＡＣＣＰ及び機関回転数Ｎｅから特定される燃料噴射量が比較的多くなる時に、機関運転状態がパイロット噴射領域に入っていると判定するようにしてもよい。
【００５９】
前記Ｓ１０２において肯定判定された場合は、ＥＣＵ１０は、Ｓ１０３へ進み、前記Ｓ１０１で入力された機関負荷ＡＣＣＰ及び機関回転数Ｎｅをパラメータとして、パイロット噴射開始時期ｔｐ１、パイロット噴射終了時期ｔｐ２、メイン燃料噴射開始時期ｔｍ１、メイン燃料噴射終了時期ｔｍ２、流量調整弁閉弁時期ｔｅ１、流量調整弁開弁時期ｔｅ２を演算する。
【００６０】
Ｓ１０４では、ＥＣＵ１０は、クランクポジションセンサ１１の出力信号ｔ（ＣＡ°）がパイロット噴射開始時期ｔｐ１と等しいか否かを判別する。前記Ｓ１０４で否定判定された場合は、ＥＣＵ１０は、クランクポジションセンサ１１の出力信号ｔがパイロット噴射開始時期ｔｐ１と等しくなるまで前記Ｓ１０４の処理を繰り返し実行する。
【００６１】
前記Ｓ１０４で肯定判定された場合（ｔ＝ｔｐ１）は、ＥＣＵ１０は、Ｓ１０５へ進み、燃料噴射弁４の駆動機構５０に励磁電流を印加してパイロット噴射を開始する。
【００６２】
Ｓ１０６では、ＥＣＵ１０は、クランクポジションセンサ１１の出力信号ｔが流量調整弁閉弁時期ｔｅ１に等しいか否かを判別する。前記Ｓ１０６で否定判定された場合は、ＥＣＵ１０は、クランクポジションセンサ１１の出力信号ｔが流量調整弁閉弁時期ｔｅ１と等しくなるまで前記Ｓ１０６の処理を繰り返し実行する。
【００６３】
前記Ｓ１０６で肯定判定された場合（ｔ＝ｔｅ１）は、ＥＣＵ１０は、Ｓ１０７へ進み、流量調整弁４９に通電して該流量調整弁４９を閉弁させる。
【００６４】
Ｓ１０８では、ＥＣＵ１０は、Ｓ１０８へ進み、クランクポジションセンサ１１の出力信号ｔがパイロット噴射終了時期ｔｐ２と等しいか否かを判別する。前記Ｓ１０８で否定判定された場合は、ＥＣＵ１０は、クランクポジションセンサ１１の出力信号ｔがパイロット噴射終了時期ｔｐ２と等しくなるまで前記Ｓ１０８の処理を繰り返し実行する。
【００６５】
前記Ｓ１０８において肯定判定された場合（ｔ＝ｔｐ２）は、ＥＣＵ１０は、Ｓ１０９へ進み、燃料噴射弁４の駆動機構５０に対する励磁電流の印加を停止してパイロット噴射を終了する。
【００６６】
Ｓ１１０では、ＥＣＵ１０は、クランクポジションセンサ１１の出力信号ｔがメイン燃料噴射開始時期ｔｍ１と等しいか否かを判別する。前記Ｓ１１０において否定判定された場合は、ＥＣＵ１０は、クランクポジションセンサ１１の出力信号ｔがメイン燃料噴射開始時期ｔｍ１と等しくなるまで前記Ｓ１１０の処理を繰り返し実行する。
【００６７】
前記Ｓ１１０において肯定判定された場合（ｔ＝ｔｍ１）は、ＥＣＵ１０は、Ｓ１１１へ進み、燃料噴射弁４の駆動機構５０に再び励磁電流を印加してメイン燃料噴射を開始する。
【００６８】
Ｓ１１２では、ＥＣＵ１０は、クランクポジションセンサ１１の出力信号ｔが流量調整弁開弁時期ｔｅ２と等しいか否かを判別する。前記Ｓ１１２において否定判定された場合は、ＥＣＵ１０は、クランクポジションセンサ１１の出力信号ｔが流量調整弁開弁時期ｔｅ２と等しくなるまで前記Ｓ１１２の処理を繰り返し実行する。
【００６９】
前記Ｓ１１２において肯定判定された場合（ｔ＝ｔｅ２）は、ＥＣＵ１０は、Ｓ１１３へ進み、流量調整弁４９に対する通電を停止して該流量調整弁４９を開弁させる。
【００７０】
Ｓ１１４では、ＥＣＵ１０は、クランクポジションセンサ１１の出力信号ｔがメイン燃料噴射終了時期ｔｍ２と等しいか否かを判別する。前記Ｓ１１４において否定判定された場合は、ＥＣＵ１０は、クランクポジションセンサ１１の出力信号ｔがメイン燃料噴射終了時期ｔｍ２と等しくなるまで前記Ｓ１１４の処理を繰り返し実行する。
【００７１】
前記Ｓ１１４において肯定判定された場合は、ＥＣＵ１０は、Ｓ１１５へ進み、燃料噴射弁４の駆動機構５０に対する励磁電流の印加を停止してメイン燃料噴射を終了させる。
【００７２】
また、前記したＳ１０２において機関運転状態がパイロット噴射領域に入っていないと判定された場合は、ＥＣＵ１０は、Ｓ１１６へ進み、流量調整弁４９に対する通電を停止する。
【００７３】
Ｓ１１７では、ＥＣＵ１０は、前記Ｓ１０１で入力された機関負荷ＡＣＣＰ及び機関回転数Ｎｅをパラメータとしてメイン燃料噴射開始時期ｔｍ１及びメイン燃料噴射終了時期ｔｍ２を演算する。
【００７４】
Ｓ１１８では、ＥＣＵ１０は、クランクポジションセンサ１１の出力信号ｔがメイン燃料噴射開始時期ｔｍ１と等しいか否かを判別する。前記Ｓ１１８において否定判定された場合は、ＥＣＵ１０は、クランクポジションセンサ１１の出力信号ｔがメイン燃料噴射開始時期ｔｍ１と等しくなるまで前記Ｓ１１８の処理を繰り返し実行する。
【００７５】
前記Ｓ１１８において肯定判定された場合（ｔ＝ｔｍ１）は、ＥＣＵ１０は、Ｓ１１９へ進み、燃料噴射弁４の駆動機構５０へ励磁電流を印加してメイン燃料噴射を開始する。
【００７６】
Ｓ１２０では、ＥＣＵ１０は、クランクポジションセンサ１１の出力信号ｔがメイン燃料噴射終了時期ｔｍ２と等しいか否かを判別する。前記Ｓ１２０において否定判定された場合は、ＥＣＵ１０は、クランクポジションセンサ１１の出力信号ｔがメイン燃料噴射終了時期ｔｍ２と等しくなるまで前記Ｓ１２０の処理を繰り返し実行する。
【００７７】
前記Ｓ１２０において肯定判定された場合（ｔ＝ｔｍ２）は、ＥＣＵ１０は、Ｓ１２１へ進み、燃料噴射弁４の駆動機構５０に対する励磁電流の印加を停止してメイン燃料噴射を終了させる。
【００７８】
このようにＥＣＵ１０が図３に示すような燃料噴射制御ルーチンを実行すると、図４に示すように、パイロット噴射開始直後（流量調整弁閉弁時期ｔｅ１）からメイン燃料噴射期間の途中（流量調整弁開弁時期ｔｅ２）までの所定期間において流量調整弁４９が閉弁される。
【００７９】
この場合、上記した所定期間では、コモンレール６から燃料溜まり部４４へ燃料が供給されないことになる。逆に、流量調整弁開弁時期ｔｅ２から流量調整弁閉弁時期ｔｅ１までの期間では、コモンレール６から燃料溜まり部４４へ燃料が供給されることになる。
【００８０】
その結果、パイロット噴射開始時期ｔｐ１において、燃料溜まり部４４には十分な量の燃料が蓄えられるとともに、燃料溜まり部４４内の燃料圧力が十分に高くなる。また、燃料溜まり部４４が燃料噴射孔４３の直近傍に位置しているため、燃料溜まり部４４の燃料が高圧を保ちつつ燃料噴射孔４３へ到達可能となる。
【００８１】
従って、本実施例におけるパイロット噴射時の噴射圧（図４中の実線）は、従来のパイロット噴射の噴射圧（図４中の点線）より高くなる。更に、パイロット噴射期間の略全期間において流量調整弁４９が閉弁状態になるため、コモンレール６内の圧力脈動等によってパイロット噴射時の噴射圧力が不安定になることも抑制される。
【００８２】
一方、パイロット噴射開始直後（流量調整弁閉弁時期ｔｅ１）からメイン燃料噴射期間の途中（流量調整弁開弁時期ｔｅ２）までは燃料溜まり部４４へ燃料が供給されないため、メイン燃料噴射開始時期ｔｍ１における燃料溜まり部４４内の燃料圧力はパイロット噴射開始時期ｔｐ１における燃料溜まり部４４内の燃料圧力より低くなる。これにより、メイン燃料噴射期間の初期における噴射圧は、パイロット噴射時の噴射圧より低くなる。
【００８３】
以上述べた実施例によれば、燃料噴射弁４に印加される燃料圧力（レール圧）を変更しなくてもパイロット噴射の噴射圧をメイン燃料噴射の噴射圧より高くすることができる。その結果、メイン燃料噴射の噴射圧を不要に高めることなくサブ燃料噴射の噴射圧を高めることが可能となる。
【００８４】
パイロット噴射の噴射圧が高められると、パイロット噴射された燃料が微粒化されつつ燃焼室３の周縁まで到達するようになるため、メイン燃料噴射が行われた時に燃料噴射弁
４近傍で燃焼が生起されることを抑制することができ、以て機関出力の低下や排気エミッションの悪化（スモークの排出量が増加）を抑制することが可能となる。
【００８５】
尚、図３の燃料噴射制御ルーチンではパイロット噴射を行う場合の燃料噴射制御について述べたが、アフター噴射を行う場合には、図５に示すように、流量調整弁閉弁時期ｔｅ１をアフター噴射開始時期ｔａ１の直後に設定するとともに、流量調整弁開弁時期ｔｅ２をメイン燃料噴射開始時期ｔｍ１より後に設定すればよい。
【００８６】
この場合、アフター噴射開始直後（流量調整弁閉弁時期ｔｅ１）からメイン燃料噴射期間の途中（流量調整弁開弁時期ｔｅ２）までの所定期間では、コモンレール６から燃料溜まり部４４へ燃料が供給されないことになる。逆に、メイン燃料噴射期間の途中（流量調整弁開弁時期ｔｅ２）からアフター噴射開始直後（流量調整弁閉弁時期ｔｅ１）までの期間では、コモンレール６から燃料溜まり部４４へ燃料が供給されることになる。
【００８７】
この結果、アフター噴射開始時期ｔａ１において燃料溜まり部４４には十分な量の燃料が蓄えられるようになるため、アフター噴射開始時期ｔａ１における燃料溜まり部４４内の燃料圧力が十分に高くなる。
【００８８】
アフター噴射開始時期ｔａ１における燃料溜まり部４４内の燃料圧力が高くなると、燃料溜まり部４４が燃料噴射孔４３の近傍に配置されること、及び、アフター噴射期間の略全期間において流量調整弁４９が閉弁状態になることの相乗効果により、アフター噴射時の噴射圧（図５中の実線）が従来のアフター噴射時における噴射圧（図５中の点線）より高くなる。
【００８９】
一方、アフター噴射開始直後（流量調整弁閉弁時期ｔｅ１）からメイン燃料噴射期間途中（流量調整弁開弁時期ｔｅ２）までは燃料溜まり部４４へ燃料が供給されないため、メイン燃料噴射開始時期ｔｍ１における燃料溜まり部４４内の燃料圧力がアフター噴射開始時期ｔａ１における燃料溜まり部４４内の燃料圧力より低くなる。これにより、メイン燃料噴射期間の初期における噴射圧は、アフター噴射時の噴射圧より低くなる。
【００９０】
従って、燃料噴射弁４に印加される燃料圧力（レール圧）を変更しなくてもアフター噴射圧をメイン燃料噴射期間の初期における噴射圧より高くすることができる。その結果、メイン燃料噴射の噴射圧を不要に高めることなくアフター噴射の噴射を高めることが可能になる。
【００９１】
アフター噴射の噴射圧が高められると、アフター噴射された燃料が微粒化されつつ燃焼室３の周縁まで到達するようになるため、アフター噴射された燃料が空気と混合する前に燃焼することを抑制することができ、以てアフター噴射による効果（例えば、ＰＭの再燃焼など）を得ることができるとともにスモークの排出量を減少させることができる。
【００９２】
尚、上記した実施例では、流量調整弁閉弁時期ｔｅ１がパイロット噴射開始時期ｔｐ１又はアフター噴射開始時期ｔａ１の直後に設定される場合について説明したが、パイロット噴射開始時期ｔｐ１又はアフター噴射開始時期ｔａ１より前に燃料溜まり部４４内の燃料圧力が十分に高まるような場合（例えば、機関回転数が比較的低い場合のようにメイン燃料噴射終了時期ｔｍ２からパイロット噴射開始時期ｔｐ１又はアフター噴射開始時期ｔａ１までの時間が長くなるような場合）には、流量調整弁閉弁時期ｔｅ１がパイロット噴射開始時期ｔｐ１又はアフター噴射開始時期ｔａ１より前に設定されるようにしてもよい。
【００９３】
流量調整弁閉弁時期ｔｅ１がパイロット噴射開始時期ｔｐ１又はアフター噴射開始時期
ｔａ１より前に設定されれば、パイロット噴射期間又はアフター噴射期間の全期間において流量調整弁４９が閉弁状態となるため、パイロット噴射時又はアフター噴射時の噴射圧をより安定して高めることが可能となる。
【００９４】
上記した実施例では、サブ燃料噴射が行われる際に常にサブ燃料噴射の噴射圧を高めるようにしているが、サブ燃料噴射の噴射量が少なくなる場合のようにサブ燃料噴射の噴射圧を高める必要がない場合には、サブ燃料噴射の噴射圧が流量調整弁４９を常時開弁させた状態でサブ燃料噴射及びメイン燃料噴射を行うようにしてもよい。
【００９５】
上記した実施例では、サブ燃料噴射とメイン燃料噴射の噴射圧を相違させる例につい述べたが、サブ燃料噴射が複数回行われる場合にはサブ燃料噴射毎に噴射圧を相違させることもできる。
【００９６】
上記した実施例では、燃料噴射孔４３近傍のノズルボディ４０内に燃料溜まり部４４を形成しているが、図６に示すように、燃料溜まり部４４を設ける代わりに、ニードル弁４２を中空に形成するとともに該ニードル弁４２の壁面に中空部４００と燃料通路４７を連通させる連通路４１０を複数設けることにより、前記中空部４００を燃料溜まり部４４として機能させるようにしてもよい。
【００９７】
この場合、前述した実施例と同様の効果が得られる上、ノズルボディ４０の外径を小さく抑えることができるため、車載性が向上するという効果を得ることができる。
【００９８】
また、図７に示すように、燃料供給路４８の途中にピストン５１を備えた加圧機構５２を設け、サブ燃料噴射時に流量調整弁４９を閉弁させるとともに加圧機構５２により燃料供給路４８、燃料通路４７、及び燃料溜まり部４４内の燃料を圧縮することにより、サブ燃料噴射時の噴射圧を更に高めるようにしてもよい。
【００９９】
その際、サブ燃料噴射の噴射量や筒内圧などに応じて加圧機構５２による圧縮率を変更することにより、サブ燃料噴射の噴射圧が変更されるようにしてもよい。
【図面の簡単な説明】
【０１００】
【図１】本発明を適用する内燃機関の概略構成を示す図である。
【図２】本実施例における燃料噴射弁の概略構成を示す図である。
【図３】本実施例における燃料噴射制御ルーチンを示すフローチャートである。
【図４】パイロット噴射とメイン燃料噴射を行う場合の流量調整弁の開閉タイミングと燃料噴射弁の開閉タイミングと噴射圧とを同一時間軸上に示した図である。
【図５】メイン燃料噴射とアフター噴射を行う場合の流量調整弁の開閉タイミングと燃料噴射弁の開閉タイミングと噴射圧とを同一時間軸上に示した図である。
【図６】燃料噴射弁の他の構成例１を示す図である。
【図７】燃料噴射弁の他の構成例２を示す図である。
【符号の説明】
【０１０１】
１・・・・・内燃機関
４・・・・・燃料噴射弁
５・・・・・燃料供給管
１０・・・・ＥＣＵ
４０・・・・ノズルボディ
４２・・・・ニードル弁
４３・・・・燃料噴射孔
４４・・・・燃料溜まり部
４７・・・・燃料通路
４８・・・・燃料供給路
４９・・・・流量調整弁
５０・・・・駆動機構
【図１】
2006348771.tif 000003
【図２】
2006348771.tif 000004
【図３】
2006348771.tif 000005
【図４】
2006348771.tif 000006
【図５】
2006348771.tif 000007
【図６】
2006348771.tif 000008
【図７】
2006348771.tif 000009